(57)【特許請求の範囲】
【請求項１】
座と、背もたれと、足を置くための足置きとを少なくとも具備してなる椅子において、
前記座を上下方向に移動させる座昇降機構と、前記背もたれを前方に移動させる動作と前記足置きを上方に移動させる動作とを、また、前記背もたれを後方に移動させる動作と前記足置きを下方に移動させる動作とをそれぞれ連動させる連動機構とを具備してなり、前記連動機構が、前記座の昇降動作時に当該座に対する前記背もたれ及び足置きの相対位置を略一定に保持した状態で座と共に昇降するとともに、着座者の膝下長さ及び膝上長さに対応させるべく前記座の昇降動作とは独立して前記背もたれと足置きとを連続的に連動させることを特徴とする椅子。
【請求項２】
座昇降機構が、ガススプリングであることを特徴とする請求項１記載の椅子。
【請求項３】
連動機構が、一端部側に前記背もたれを取り付けてなる第１のリンクと、一端部側に前記足置きを取り付けてなる第２のリンクとを具備してなり、これら第１、第２のリンクを両者が連続的に連動し得るように関連付けてなることを特徴とする請求項１又は２記載の椅子。
【請求項４】
連動機構が、前記第１のリンクの一部を前記座と共に昇降する部位に正逆方向に回転可能に取り付けてなる回転支持部と、前記第２のリンクの一部を前記座と共に昇降する部位に正逆方向に回転可能に支持させるための揺動リンクとを具備してなることを特徴とする請求項３記載の椅子。
【請求項５】
連動機構が、前記第１、第２のリンクの移動動作を促す伸縮可能な伸縮リンクを具備していることを特徴とする請求項３又は４記載の椅子。
【請求項６】
伸縮リンクが、ガススプリングであることを特徴とする請求項５記載の椅子。
【発明の詳細な説明】
【０００１】
【発明の属する技術分野】
本発明は、座、背もたれ及び足置きの位置を良好に調整し得る椅子に関するものである。
【０００２】
【従来の技術】
この種の生徒用の椅子において、特に、小学校で利用されるものの場合には、低学年〜高学年の間で体格差が顕著なため、着座者の体格に応じて座の高さ調整ができるとともに、これに合わせて背もたれの前後位置を調整することができるタイプが利用されることが多い。
【０００３】
このような椅子の従来の具体的な構成としては、背もたれと座とを別々に調整するものや、螺子送り運動等の回転運動により座の昇降動作を行い、これに連動して背もたれの前後位置を調整し、着座者の体格に合わせて座及び背もたれの位置を着座者の体格にフィットするような適正位置に合わせることができるもの等がある。
【０００４】
また、前述したような背もたれの位置を調整するものと同様に、座の昇降動作と連動させて着座者の足を保持する足置きをその体格に合わせた適正位置に調整するものも要望されている。
【０００５】
【発明が解決しようとする課題】
ところで、近年、小学校でもパソコンを使用して行う授業等が導入されており、パソコン作業を行うための机と椅子の開発が行われている。また、特に小学校の生徒においては、膝下から足にかけての膝下長さ及び膝上から臀部にかけての膝上長さは、成長による体格の変化とともに、最も著しく変化することが明らかになっている。一方、前述したようなパソコン作業を行う場合には、腕を略直角に保持した姿勢で、キーボードやマウスの操作を行うものであり、天板面に対する座の位置変化は、体格の違いによってそれ程大きくないことも明らかになっている。そのため、体格の異なる着座者が、同じ机と椅子を利用してパソコン作業等を行う場合に適正な姿勢を保持するためには、体格の違いによって変化が大きい膝下長さ及び膝上長さに対応させて、足置きの上下位置及び背もたれの前後位置を適正に調整することが最も望ましいと考えられる。
【０００６】
このような考えに鑑み、本発明は、着座者の体格が変化した場合にも、パソコン作業等の執務作業を行うための適正な姿勢を保持し得るとともに、さらに、使用目的に応じて異なる天板高さに設定されている机等の天板付き家具と共に使用する場合にも好適に対応し得るような椅子を提供することを目的としている。
【０００７】
【課題を解決するための手段】
上記の問題点を解決するために、本発明は、座と、背もたれと、足を置くための足置きとを少なくとも具備してなる椅子において、前記座を上下方向に移動させる座昇降機構と、前記背もたれを前方に移動させる動作と前記足置きを上方に移動させる動作とを、また、前記背もたれを後方に移動させる動作と前記足置きを下方に移動させる動作とをそれぞれ連動させる連動機構とを具備してなり、前記連動機構が、前記座の昇降動作時に当該座に対する前記背もたれ及び足置きの相対位置を略一定に保持した状態で座と共に昇降するとともに、着座者の膝下長さ及び膝上長さに対応させるべく前記座の昇降動作とは独立して前記背もたれと足置きとを連続的に連動させるように構成している。
【０００８】
このような構成のものにおいて、着座者の体格に合わせて椅子の位置を調整するには、先ず、前記座昇降機構を利用して、座を上下動させることにより、共に利用する机等の天板付き家具の天板の高さ位置等に合わせて座の上下位置を調整する。一方、前記座の上下位置の調整とは独立して、体格の違いによって変化が大きい膝下長さ及び膝上長さに対応させて足置き及び背もたれの位置をそれぞれ座に対して近接又は離間する方向へ連続的に連動させる。例えば、小学校低学年の場合には、足置きが上方へ移動する動作と背もたれが前方へ移動する動作とを連動させて行うようにすれば、パソコンやキーボードを置いた天板面に腕を略直角に曲げた状態で、座を中心にして足置きと背もたれとが互いに近付く方向、すなわち背もたれによって利用者の背を、足置きによって利用者の足を良好に支持する位置へ連動させ得ることになる。同様にして、体格の大きい小学校高学年の場合には、足置きが下方へ移動する動作と背もたれが後方へ移動する動作とを連動させて行うようにすれば、パソコンやキーボードを置いた天板面に腕を略直角に曲げた状態で、座を中心にして足置きと背もたれとが互いに離間する方向、すなわち背もたれによって利用者の背を、足置きによって利用者の足を良好に支持する位置へ連動して移動することになる。したがって、利用者は、背と足を椅子により適正に保持した状態で作業を行うことが可能となり、例えば、長期間パソコン作業を行っても、疲労感を感じにくく、また、姿勢を良好に保って視力低下等を招く恐れを有効に回避することが可能となる。さらに、このものは、天板の高さ位置に合わせて座の上下位置を調整する動作と、着座者の体格に合わせて背もたれと足置きを連動させて適正な位置へ移動させる動作とを独立して行うことができるため、使用目的に応じて異なる天板高さに設定されている机等の天板付き家具と共に使用する場合に種々のタイプのものに良好に対応することができる。
【０００９】
ワンタッチ操作で座の位置調整を行うことを可能にするには、座昇降機構が、ガススプリングであることが望ましい。
【００１０】
前述した作動を行い得るものを、部材を可及的に少なくして簡素な構造で実現するには、連動機構が、一端部側に前記背もたれを取り付けてなる第１のリンクと、一端部側に前記足置きを取り付けてなる第２のリンクとを具備してなり、これら第１、第２のリンクを両者が連続的に連動し得るように関連付けてなるものが挙げられる。
【００１１】
好適な実施の形態としては、連動機構が、前記第１のリンクの一部を前記座と共に昇降する部位に正逆方向に回転可能に取り付けてなる回転支持部と、前記第２のリンクの一部を前記座と共に昇降する部位に正逆方向に回転可能に支持させるための揺動リンクとを具備してなるものや、連動機構が、前記第１、第２のリンクの動作を促すための伸縮可能な伸縮リンクを具備しているものが挙げられる。
【００１２】
さらに、この場合の伸縮リンクの好適な実施の形態としては、伸縮リンクが、ガススプリングであるものが挙げられる。
【００１３】
【発明の実施の形態】
以下、本発明の一実施の形態について図面を参照して説明する。
【００１４】
本実施の形態の椅子Ａは、主として学校等で生徒用の椅子として利用されるものであり、図１に示すように、座２と背もたれ３と足置き４とを具備してなる椅子本体１と、この椅子本体１を支持してなる脚体５とを具備してなる。そして、この椅子Ａは、天板ｔ１を具備してなる天板付き家具である机Ｔととともに利用されるものである。
【００１５】
以下、この椅子Ａの具体的な構成について原理図を利用して説明する。
【００１６】
座２は、クッション材を布製のカバーで被覆する等して構成された周知のものであり、その下面を前記脚体５の上端部側に座昇降機構たるガススプリング６を介して上下動可能に支持されている。ガススプリング６は、図示しないが、上端部近傍側に設けた作動端を操作レバーにより押圧している際にだけ、弁が開成して突没軸たるロッドが突没動作を行う周知のものである。具体的に説明すると、座２の位置を調整する場合には、先ず、操作レバーによりガススプリング６の作動端を押圧し、ロッドが突没動作を行うようにする。その状態で着座者が座２にかける荷重を増加させると座２は下降し、逆に座２にかける荷重を減少させると座２は上昇する。
【００１７】
背もたれ３は、クッション材を布製のカバーで被覆する等して構成された周知のものである。
【００１８】
足置き４は、前記座２の下方において着座者の足を置くことができる位置にあるものである。
【００１９】
脚体５は、キャスタ５１により移動可能に支持されている複数の脚羽根５２と、これら脚羽根５２の中央部から上方へ突出した脚支柱５３とを具備してなる周知のものである。この脚支柱５３の上端部には、前記ガススプリング６が設けてあり、このガススプリング６の上方に前記座２を適宜の手段で上下動可能に支持させている。
【００２０】
このような構成のものにおいて、本実施の形態では、前記背もたれ３を前後方向に移動させる動作と、前記足置き４を上下方向に移動させる動作とを連続的に連動させる連動機構たる位置調整機構７を具備してなる。この位置調整機構７は、前記ガススプリング６とは独立した動作を行うものであり、前記座２の昇降動作時に、当該座２に対する前記背もたれ３及び足置き４の相対位置を略一定に保持した状態で座２と共に昇降するとともに、前記座２の昇降動作とは独立して前記背もたれ３と足置き４とを連続的に連動し得るものである。
【００２１】
位置調整機構７は、一端部たる上端部７２ａ側に前記背もたれ３を取り付けてなる第１のリンク７２と、一端部たる前端部７３ａ側に前記足置き４を取り付けてなる第２のリンク７３と、前記第１のリンク７２の一部を前記座２側に正逆方向に回転可能に取り付けてなる回転支持部７５と、前記第２のリンク７３の一部を前記座２側に正逆方向に回転可能に支持させるための揺動リンク７４と、前記第１、第２のリンク７２、７３の回転動作を促すための伸縮可能な伸縮リンク７１とを具備している。
【００２２】
第１のリンク７２は、前記上端部７２ａ側に前記背もたれ４を取り付けてなるとともに、その他端部たる下端部７２ｂ側を前記第２のリンク７３の他端部たる後端部７３ｂ側に両者が連続的に連動し得るように正逆方向に回転可能に関連付けてなる。また、この第１のリンク７２は、前記下端部７２ｂ側から上方へ変位した位置にある前記回転支持部７５を介して前記座２の後端部２ａ側に正逆方向に回転可能に取り付けてある。なお、前記背もたれ３は、この第１のリンク７２の上端部７２ａ側に正逆方向に回転可能に取り付けてあり、前記第１のリンク７２を前後方向に回転させた後、着座者の姿勢に合わせて当該第１のリンク７２に対して適宜回転させて角度調整を行うものである。
【００２３】
第２のリンク７３は、前記前端部７３ａ側に前記足置き４を正逆方向に回転可能に取り付けてなり、他端部たる後端部７３ｂ側を前記第１のリンク７２の下端部７２ｂ側に両者が連続的に連動し得るように正逆方向に回転可能に関連付けてなる。
【００２４】
揺動リンク７４は、上端部７４ａ側を前記座２側に回転可能に取り付けてなるとともに、下端部７４ｂ側を前記第２のリンク７３の後端部７３ａから前方へ変位した位置に正逆方向に回転可能に取り付けてなる。
【００２５】
伸縮リンク７１は、具体的に図示することは省略するが、例えば、基端部７１ａ側に設けた作動端を操作レバーにより押圧している際にだけ、弁が開成して突没軸たるロッドが突没動作を行う伸縮可能な周知のガススプリングである。
【００２６】
しかして、この位置調整機構７は、操作レバー等を操作し、背もたれ３或いは足置き４にかかる着座者の力を加減することによって伸縮リンク７１の伸縮を促すと、それに伴って、背もたれ３は、回転支持部７５を介して前後方向に回転移動し、足置き４は、揺動リンク７４の揺動動作により上下方向に回転移動する。
【００２７】
次に、上述した構成の椅子Ａを利用して、座２、背もたれ３及び足置き４の位置を机Ｔの天板ｔ１の高さ位置及び着座者の体格に合わせて調整する場合について説明する。
【００２８】
先ず、図２に示すように、前記天板ｔ１の高さ位置に合わせて座２の上下位置を調整する。この際、天板面に対して着座者の肘を略直角に保持した状態で執務作業ができるように、前記天板ｔ１に対する座２の上下位置を設定する。具体的な操作方法について説明すると、例えば、座２を上昇させる場合には、操作レバーによりガススプリング６の作動端を押し、ロッドを突没可能な状態とした後、座２にかかる荷重を小さくしてやると、図２中実線から想像線へと示すように、座２は上方に移動する。そして、ガススプリング６の作動端を押すのを停止した位置で座２の上下位置が決定する。なお、前記座２の昇降動作時には、前記位置調整機構７は、前記座２に対する前記背もたれ３及び足置き４の相対位置を略一定に保持した状態で座２とともに上下動する。
【００２９】
このようにして座２の上下位置を決定した後、次に、着座者の体格に合わせて、背もたれ３及び足置き４の位置調整を行う。具体的には、座２と足置き４の間隔が着座者の膝下長さに略合致し、座２と背もたれ３の間隔が膝上長さに略合致した最適位置となるように、足置き４の上下位置及び背もたれ３の前後位置を調整するものである。
【００３０】
先ず、伸縮リンク７１を作動させるための操作レバーを操作する。具体的には、前記操作レバーにより伸縮リンク７１であるガススプリングの作動端を押し、ロッドを突没可能な状態とした後、背もたれ３にかかる荷重を小さくしてやると、図３中実線から想像線へと示すように、背もたれ３は前方に移動する。この時、伸縮リンク７１は伸長し、第１のリンク７２の下端部７２ｂ側を図３中実線で示す位置から想像線で示す位置へと移動させる。この移動に伴って、揺動リンク７４が、上端部７４ａ側を支点にして回転し、前記第２のリンク７３が図３中実線で示す位置である後方に引き寄せられ、足置き４が上方へ回転移動する。すなわち、背もたれ３は前方へ、足置き４は上方へ移動するため、座２に対して背もたれ３及び足置き４が近接し、体型の小さい生徒でも、背を適正に背もたれ３に支持されるとともに足を足置き４に置いた状態、すなわち体格に略フィットさせた状態で着座することが可能である。なお、背もたれ３にかかる荷重を軽減した場合について説明したが、足置き４にかかる荷重を軽減することによって、両者の連動動作を促すようにしてもよい。
【００３１】
一方、体型の大きい小学校高学年の生徒が着座する場合には、先ず、前記天板ｔ１の高さ位置に合わせて座２の上下位置を調整する。座２の上下位置を決定した後、次に、着座者の体格に合わせて、背もたれ３及び足置き４の位置調整を行うべく、前記伸縮リンク７１を作動させるための操作レバーを操作する。具体的には、前記操作レバーにより伸縮リンク７１であるガススプリングの作動端を押し、ロッドを突没可能な状態とした後、背もたれ３にかかる荷重を大きくしてやると、図３中想像線から実線へと示すように、背もたれ３は後方に回転移動する。この時、伸縮リンク７１が縮んで、第１のリンク７２の下端部７２ｂ側を図３中想像線で示す位置から実線で示す位置へと移動させる。この移動に伴って、揺動リンク７４が、上端部７４ａ側を支点にして回転し、前記第２のリンク７３が図３中実線で示す位置である前方に引き寄せられ、足置き４が下方へ回転移動する。すなわち、背もたれ３は後方へ、足置き４は下方へ移動するため、座２に対して背もたれ３及び足置き４が離間し、体型の大きい生徒でも背を適正に背もたれ３に支持されるとともに足を足置き４に置いた状態、すなわち体格に略フィットさせた状態で着座することが可能である。なお、背もたれ３にかかる荷重を増大した場合について説明したが、足置き４にかかる荷重を増大することによって、両者の連動動作を促すようにしてもよい。
【００３２】
ところで、着座者の体格において、特に、膝下から足にかけての膝下長さ及び膝上から臀部にかけての膝上長さは、成長による体格の変化とともに、最も著しく変化することが明らかになっている。一方、前述したようなパソコン作業を行う場合には、腕を略直角に保持した姿勢で、キーボードやマウスの操作を行うものであり、天板面に対する座２の位置変化は、体格の違いによってそれ程大きくないことも前記調査で明らかになっている。
【００３３】
前述したような構成の椅子Ａであると、先ず、天板ｔ１の上下位置に合わせて座２の上下位置を調整した後、体格の違いによって変化が大きい膝下長さ及び膝上長さに対応させて、足置き４の上下位置及び背もたれ３の前後位置を連続的に連動させることができるため、着座者は、背と足を適正に保持した状態で作業を行うことが可能となり、例えば、長期間パソコン作業を行っても、疲労感を感じにくく、また、姿勢を良好に保って視力低下等を招く恐れを有効に回避することが可能となる。特に、座２を天板ｔ１の上下位置に合わせるための設定と、背もたれ３及び足置き４を着座者の体格に合わせるための設定とを個別に行うことができるため、それぞれの位置設定を行い易くすることができ、使用目的に応じて異なる天板高さに設定されている机等の天板付き家具と共に使用する場合に種々のタイプのものに良好に対応することが可能となる。
【００３４】
座昇降機構が、ガススプリング６であるので、ワンタッチ操作で座２の位置調整を行うことが可能であり、小学校低学年でも容易に操作を行い得るものとなる。また、昇降動作をスムーズなものとし得る上、別途ロック機構を設けずとも、任意の位置に決定することが可能である。
【００３５】
位置調整機構７が、上端部７２ａ側に前記背もたれ３を取り付けてなる第１のリンク７２と、前端部７３ａ側に前記足置き４を取り付けてなる第２のリンク７３とを具備してなり、これら第１、第２のリンク７２、７３の下端部７２ｂと後端部７３ｂ側同士を両者が連続的に連動し得るように関連付けてなるので、前述した作動を行い得るものを、部材を可及的に少なくして簡素な構造で実現することが可能である。また、このように簡素な構造であるので、リンクの位置設定等も行い易いものとなる。さらに、リンクを利用しているので、摩擦部分を小さくして動力の損失を少なくできる上、軽快な運動の伝達が可能となる。
【００３６】
位置調整機構７が、前記第１のリンク７２の一部を前記座２と共に昇降する部位に正逆方向に回転可能に取り付けてなる回転支持部７５と、前記第２のリンク７３の一部を前記座２と共に昇降する部位に正逆方向に回転可能に支持させるための揺動リンク７４とを具備してなるので、前記座２の昇降動作時に、当該座２に対する前記背もたれ３及び足置き４の相対位置を略一定に保持した状態で座２と共に昇降するとともに、前記座２の昇降動作とは独立して前記背もたれ３と足置き４とを連続的に連動させるものを簡単な構成で実現することが可能である。
【００３７】
位置調整機構７が、前記第１、第２のリンク７２、７３の動作を促すための伸縮可能な伸縮リンク７１を具備してなり、特に、本実施の形態では、この伸縮リンク７１が、ガススプリングであるので、ワンタッチ操作で背もたれ３及び足置き４の位置調整を行うことが可能であり、小学校低学年でも容易に操作を行い得るものとなる。また、移動動作をスムーズなものとし得る上、別途ロック機構を設けずとも、任意の位置に決定することが可能である。
【００３８】
なお、本発明における構成は、以上説明したものに限定されないのは勿論であり、椅子本体の構成や位置調整機構の構成については上述したものに限定されない。例えば、本実施の形態では、脚体がキャスタに支持された脚羽根を有するものであったが、脚体の構成は上述したものに限定されない。さらに、本実施の形態では、天板の上下位置が固定のものについて説明したが、天板が上下動してその上下位置が変化するものであってもよく、前記椅子は、天板の上下位置に合わせて座の上下位置を設定することが容易であるので、天板が上下動するものにも、良好に対応することが可能である。その他の構成も本発明の趣旨を逸脱しない範囲で種々変形が可能である。
【００３９】
【発明の効果】
本発明は、以上説明したような構成で実施され以下に記載されるような効果を奏する。
【００４０】
すなわち、本発明は、前記座を上下方向に移動させる座昇降機構と、前記背もたれを前方に移動させる動作と前記足置きを上方に移動させる動作とを、また、前記背もたれを後方に移動させる動作と前記足置きを下方に移動させる動作とをそれぞれ連動させる連動機構とを具備してなり、前記連動機構が、着座者の膝下長さ及び膝上長さに対応させるべく前記座昇降機構とは独立した動作を行うものであるので、天板の高さ位置に合わせて座の上下位置を調整する動作と、着座者の体格に合わせて背もたれと足置きを連動させて適正な位置へ移動させる動作とを独立して行うことができ、使用目的に応じて異なる天板高さに設定されている机等の天板付き家具と共に使用する場合に種々のタイプのものに良好に対応することが可能となる。
【００４１】
座昇降機構が、ガススプリングであるならば、ワンタッチ操作で座の位置調整を行うことが可能であり、小学校低学年でも容易に操作を行い得るものとなる。また、昇降動作をスムーズなものとし得る上、別途ロック機構を設けずとも、任意の位置に決定することが可能である。
【００４２】
連動機構が、連動機構が、一端部側に前記背もたれを取り付けてなる第１のリンクと、一端部側に前記足置きを取り付けてなる第２のリンクとを具備してなり、これら第１、第２のリンクを両者が連続的に連動し得るように関連付けてなるならば、前述した作動を行い得るものを、部材を可及的に少なくして簡素な構造で実現することが可能である。また、このように簡素な構造であるので、リンクの位置設定等も行い易いものとなる。さらに、リンクを利用しているので、摩擦部分を小さくして動力の損失を少なくできる上、軽快な運動の伝達が可能となる。
【００４３】
連動機構が、前記第１のリンクの一部を前記座と共に昇降する部位に正逆方向に回転可能に取り付けてなる回転支持部と、前記第２のリンクの一部を前記座と共に昇降する部位に正逆方向に回転可能に支持させるための揺動リンクとを具備してなるならば、前記座の昇降動作時に、当該座に対する前記背もたれ及び足置きの相対位置を略一定に保持した状態で座と共に昇降するとともに、前記座の昇降動作とは独立して前記背もたれと足置きとを連続的に連動させるものを簡単な構成で実現することが可能である。
【００４４】
連動機構が、前記第１、第２のリンクの動作を促すための伸縮可能な伸縮リンクを具備してなり、特に、この伸縮リンクが、ガススプリングならば、ワンタッチ操作で背もたれ及び足置きの位置調整を行うことが可能であり、小学校低学年でも容易に操作を行い得るものとなる。また、移動動作をスムーズなものとし得る上、別途ロック機構を設けずとも、任意の位置に決定することが可能である。
【図面の簡単な説明】
【図１】本発明の一実施の形態を示す原理図。
【図２】同作用を説明するための原理図。
【図３】同作用を説明するための原理図。
【符号の説明】
２…座
３…背もたれ
４…足置き
６…座昇降機構（ガススプリング）
７…連動機構（位置調整機構）
７１…伸縮リンク
７２…第１のリンク
７２ａ…一端部（上端部）
７２ｂ…他端部（下端部）
７３…第２のリンク
７３ａ…一端部（前端部）
７３ｂ…他端部（後端部）
７４…揺動リンク
Ａ…椅子
【図１】
0004375913.tif 000002
【図２】
0004375913.tif 000003
【図３】
0004375913.tif 000004